(57)【要約】      （修正有）【課題】ストレッチャー用シートであって、ストレッチャーの上面側及び周面側全体を覆うことができるとともに、ストレッチャーの形状によらずに容易に着脱することができるストレッチャー用シートを提供する。【解決手段】ストレッチャーの上面側に敷設される上面側シート体３と、該上面側シート体３と別体で形成され且つストレッチャーの周囲の少なくとも一部をカバーする周囲側シート体４とを備え、上面側シート体３の端側と周囲側シート体４の上端側とに、互いに係脱可能に係合させる係合部１３Ａ、１３Ｂを形成した。【選択図】図４
0003211906.tif 000002
【実用新案登録請求の範囲】
【請求項１】
ストレッチャー用シートであって、
ストレッチャーの上面側に敷設される上面側シート体（３）と、
該上面側シート体（３）と別体で形成され且つストレッチャーの周囲の少なくとも一部をカバーする周囲側シート体（４）とを備え、
前記上面側シート体（３）の端側と周囲側シート体（４）の上端側とに、互いに係脱可能に係合させる係合部（１３）を形成した
ストレッチャー用シート。
【請求項２】
前記周囲側シート体（４）は、ストレッチャーの全周囲を囲繞するように構成された
請求項１に記載のストレッチャー用シート。
【請求項３】
前記周囲側シート体（４）を複数枚に分けて構成し、
各周囲側シート体（４）の長手方向の前後端側に、別体の周囲側シート体（４）を着脱可能に連接させる連接部（１３Ｃ）が設けられた
請求項１又は２に記載のストレッチャー用シート。
【請求項４】
前記上面側シート体（３）の下面縁側に、前記周囲側シート体（４）が接着される前記係合部（１３Ａ）が形成された
請求項１乃至３の何れかに記載のストレッチャー用シート。
【請求項５】
前記周囲側シート体（４）の内面縁側に、前記上面側シート体（３）が接着される前記係合部（１３Ｂ）が形成された
請求項４に記載のストレッチャー用シート。
【請求項６】
前記周囲側シート体（４）の外面縁側に、前記上面側シート体（３）が接着される前記係合部（１３Ｂ）が形成された
請求項４に記載のストレッチャー用シート。
【請求項７】
前記係合部（１３）に面ファスナーを用いた
請求項１乃至６の何れかに記載のストレッチャー用シート。
【請求項８】
前記上面側シート体（３）の長手方向を、ストレッチャーの全長よりも長く形成した
請求項１乃至７の何れかに記載のストレッチャー用シート。
【請求項９】
前記上面側シート体（３）の裏面側に、マット部材（２１）を設けた
請求項１乃至８の何れかに記載のストレッチャー用シート。
【請求項１０】
前記上面側シート体（３）及び周囲側シート体（４）を、撥水性のある素材で構成した
請求項１乃至９の何れかに記載のストレッチャー用シート。
【考案の詳細な説明】
【技術分野】
【０００１】
本考案は、ストレッチャーに用いられるシートに関する。
【背景技術】
【０００２】
ストレッチャーを用いて患者を浴室から病室へと移送する際、入浴時にストレッチャー側に付着した水滴が廊下側に滴下することによって、病院内の廊下が滑りやすくなる場合があるため、ストレッチャーに付着した水滴の拭取り作業等や、廊下に滴下した水滴の拭取り作業等をする必要があるが、この水滴の拭取り作業には手間と時間が掛かるという問題点があった。
【０００３】
上記問題に対し、車輪付きのフレームと、該車輪付きのフレーム上にマットレスを備えたストレッチャーにおいて、防水用のスクリーンカバーを筒状に巻いた筒状体を、前記車輪付きフレーム側に設け、スクリーンカバーをベッド部の左右一方側から左右他方側へ向けて巻き付けるように敷設し、該スクリーンカバーの左右両端側をフレーム側に固定することにより、ベッド部に防水用のスクリーンカバーを敷くことができる特許文献１に記載のストレッチャー用シート体が従来公知である。
【先行技術文献】
【特許文献】
【０００４】
【特許文献１】実開昭６１−９６９１９号公報
【考案の概要】
【考案が解決しようとする課題】
【０００５】
上記文献では、ストレッチャーの上面側を防水用のスクリーンカバーで覆うことにより、ストレッチャーの上面側に直接水滴が付着することを防止することができるものであるが、スクリーンカバーがベッド部の端部側を覆うことができず、防水機能が十分に発揮できない場合があるとともに、ストレッチャーのフレームの形状によってはスクリーンカバーを取付けることができない場合があるという課題があった。
【０００６】
本考案は、ストレッチャー用シートであって、ストレッチャーの上面側及び周面側全体を覆うことができるとともに、ストレッチャーの形状によらずに容易に着脱することができるストレッチャー用シートを提供することを課題としている。
【課題を解決するための手段】
【０００７】
上記課題を解決するために、第１に、ストレッチャー用シートであって、ストレッチャーの上面側に敷設される上面側シート体３と、該上面側シート体３と別体で形成され且つストレッチャーの周囲の少なくとも一部をカバーする周囲側シート体４とを備え、前記上面側シート体３の端側と周囲側シート体４の上端側とに、互いに係脱可能に係合させる係合部１３を形成したことを特徴としている。
【０００８】
第２に、前記周囲側シート体４は、ストレッチャーの全周囲を囲繞するように構成されたことを特徴としている。
【０００９】
第３に、前記周囲側シート体４を複数枚に分けて構成し、各周囲側シート体４の長手方向の前後端側に、別体の周囲側シート体４を着脱可能に連接させる連接部１３Ｃが設けられたことを特徴としている。
【００１０】
第４に、前記上面側シート体３の下面縁側に、前記周囲側シート体４が接着される前記係合部１３Ａが形成されたことを特徴としている。
【００１１】
第５に、前記周囲側シート体４の内面縁側に、前記上面側シート体３が接着される前記係合部１３Ｂが形成されたことを特徴としている。
【００１２】
第６に、前記周囲側シート体４の外面縁側に、前記上面側シート体３が接着される前記係合部１３Ｂが形成されたことを特徴としている。
【００１３】
第７に、前記係合部１３に面ファスナーを用いたことを特徴としている。
【００１４】
第８に、前記上面側シート体３の長手方向を、ストレッチャーの全長よりも長く形成したことを特徴としている。
【００１５】
第９に、前記上面側シート体３の裏面側に、マット部材２１を設けたことを特徴としている。
【００１６】
第１０に、前記上面側シート体３及び周囲側シート体４を、撥水性のある素材で構成したことを特徴としている。
【考案の効果】
【００１７】
ストレッチャー用シートを、ストレッチャーの上面側に敷設される上面側シート体と、ストレッチャーの周囲をカバーする周囲側シート体とから構成し、前記上面側シート体の端側と周囲側シート体の上端側とに、互いに係脱可能に係合させる係合部を形成したことにより、ストレッチャーの上面側及び周面側全体を覆うことができるとともに、ストレッチャーの形状によらずに容易に着脱することができる。
【００１８】
また、前記周囲側シート体は、ストレッチャーの全周囲を囲繞するように構成されたものによれば、ストレッチャーのフレーム側に水滴が付着することをより確実に防止することができる。
【００１９】
また、前記周囲側シート体を複数枚に分けて構成し、各周囲側シート体の長手方向の前後端側に、他方側の周囲側シート体と着脱可能に連接させる連接部を設けたものによれば、周囲側シート体の取付作業がより容易になるとともに、様々な大きさのストレッチャーの周面全体を覆うことができる。
【００２０】
なお、前記上面側シート体の下面縁側に、前記周囲側シート体が接着される前記係合部を形成したものによれば、前記係合部による上面側シート体と周面側シート体との係脱を容易にすることができる。
【００２１】
また、前記周囲側シート体の内面縁側に、前記上面側シート体が接着される前記係合部が形成したものによれば、上面側シート体と周面側シート体との接着面に水滴が侵入し難くなる。
【００２２】
また、前記係合部に面ファスナーを用いたものによれば、上面側シート体と周囲側シート体との着脱が容易になる。
【００２３】
なお、前記上面側シート体の長手方向を、ストレッチャーの全長よりも長く形成したものによれば、ストレッチャーの上面全体をカバーできるため、より防水性が向上する。
【００２４】
また、前記上面側シート体の裏面側に、マット部材を設けたものによれば、患者の保護になるとともに、上面側シート体のストレッチャー上面への敷設作業がよりスムーズにできるようになる。
【００２５】
また、前記上面側シート体及び周囲側シート体を、撥水性のある素材で構成したものによれば、ストレッチャー側に水滴が付着することをより確実に防止することができる。
【図面の簡単な説明】
【００２６】
【図１】シート体が設けられるストレッチャーを示した側面図である。
【図２】本発明のシート体の使用状態を示した側面図である。
【図３】本発明のシート体の使用状態を示した平面図である。
【図４】（Ａ）は、シート体の使用状態を示したＡ−Ａ断面図であり、（Ｂ）は、上面側シート体と周囲側シート体の着脱箇所を示した要部拡大図である。
【図５】取手部近傍の上面側シートと周面側シートを示した要部Ｂ−Ｂ断面図である。
【図６】（Ａ）は、上面側シートを示した底面図であり、（Ｂ）及び（Ｃ）は、周面側シートを示した側面図である。
【図７】（Ａ）及び（Ｂ）は、上面側シート体の別実施例を示した平面図及び側面図である。
【図８】（Ａ）は、別実施例の周囲側シート体の接着状態を示したＡ−Ａ断面図であり、（Ｂ）は、別実施例の上面側シート体と周囲側シート体の着脱箇所を示した要部拡大図である。
【図９】（Ａ）は、上面側シートを示した底面図であり、（Ｂ）は、別実施例の周面側シートを示した側面図である。
【考案を実施するための形態】
【００２７】
図１は、シート体が設けられるストレッチャーを示した側面図であり、図２及び図３は、本発明のシート体の使用状態を示した側面図及び平面図であり、図４（Ａ）は、シート体の使用状態を示したＡ−Ａ断面図であり、図４（Ｂ）は、上面側シート体と周囲側シート体の着脱箇所を示した要部拡大図であり、図５は、取手部近傍の上面側シート体と周面側シート体を示した要部Ｂ−Ｂ断面図であり、図６（Ａ）は、上面側シート体を示した底面図であり、図６（Ｂ）及び（Ｃ）は、周面側シート体を示した側面図である。
【００２８】
本シート体は、撥水性を有するポリエステル製等からなるシート状部材であって、ストレッチャー２の上面側を覆う上面側シート体３と、該ストレッチャー２の側面側を覆う周囲側シート体４とを備え、該上面側シート体３の縁側に周囲側シート体４を着脱可能に接着させることできるように構成されている（図２参照）。
【００２９】
前記シート体が取付けられるストレッチャー２は、方形状のマットレス等からなるベッド部６と、該ベッド部６が載置される方形枠状の支持フレーム７と、該支持フレーム７に設けた逆Ｕ字状の取手部８と、該支持フレーム７をパンタグラフ等の昇降機構９を介して支持する支持体１１と、該支持体１１に取付けられた複数（図示する例では４つ）の車輪１２とを備え、患者をベッド部６に寝かせた状態で移送することができる（図１参照）。なお、前記シート体が用いられるストレッチャー２は上記構成のものには限られない。
【００３０】
前記上面側シート体３は、ベッド部６に沿った長方形状に形成されたシート状部材であって、長手方向がベッド部６の全長よりも長く形成されており、該上面側シート体３の縁側に沿って、前記周囲側シート体４が着脱される面ファスナー（係合部）１３Ａが設けられている。なお、本実施例の上面側シート体３は、縦方向に２３０ｍｍ、横方向に５６ｍｍの長方形状に形成されている（図６（Ａ）参照）。
【００３１】
前記周囲側シート体４は、１枚或いは複数枚（図示する例では２枚１組）の長方形状のシート状部材で構成されている。該周囲側シート体４の長手方向は、２枚の周囲側シート体を連接することによってストレッチャー２を囲繞できるように、前記上面側シート体３よりも長く形成されており、該周囲側シート体４の短手方向は、ストレッチャー２の地面からベッド部６までの高さに合わせてストレッチャー２の周囲側を覆うことができる長さに形成されている。なお、本実施例の周囲側シート体４では、縦方向に３００ｍｍ、短手方向に７０ｍｍの長方形状に形成されている（図６（Ｂ）及び図６（Ｃ）参照）。
【００３２】
また、前記周囲側シート体４は、上端側となる長手方向の一方側に面ファスナー１３が設けられている。具体的には、該周囲側シート体４の内面縁側には、前記上面側シート体３の面ファスナー１３Ａと着脱される面ファスナー（係合部）１３Ｂが設けられており、該周囲側シート体４の外面側の前後端側には、他方側の周囲側シート体４の前記面ファスナー１３Ｂに連接可能な連接側面ファスナー（連接部）１３Ｃが設けられている。
【００３３】
なお、前記面ファスナー１３は、面上に無数のフック（図示しない）が形成されたフック面ファスナーと、該フックが係脱可能に係止されるループ（図示しない）が無数に形成されたループ面ファスナーとからなり、該フック面ファスナーとループ面ファスナーとが着脱自在に接着される。ちなみに、本実施例では、前記上面側シート体３側の面ファスナー１３Ａと、前記周囲側シート体４側の連接側面ファスナー１３Ｃに、比較的丈夫で柔軟性のあるフック面ファスナーが取付けられ、前記周囲側シート体４側の面ファスナー１３Ｂにループ面ファスナーが取付けられている。
【００３４】
該構成によれば、前記シート体は、ストレッチャー２の上面側に敷設された前記上面側シート体３の縁側に沿って枠状に設けた面ファスナー１３Ａ（フック面側）に、一対の前記周囲側シート体４の上縁側の面ファスナー１３Ｂ（ループ面側）を接着することにより、ストレッチャー２の上面側と、周面全体とを覆うことができる（図２参照）。
【００３５】
また、２枚１組の前記周囲側シート体４Ａ，４Ｂは、前後端側の連接側面ファスナー１３Ｃ（フック面側）と、周囲側シート体４側の面ファスナー１３Ｂ（ループ面側）とを接着することにより、平面視でストレッチャー２の周囲を囲むように連結することができる（図３参照）。これによれば、ストレッチャー２の大きさが異なる場合であっても、連接側面ファスナー１３Ｃの面ファスナー１３Ｂ側への取付位置を調整することにより、囲繞する周囲側シート体４全体の長さを調整することができる。
【００３６】
また、図４に示されるように、前記上面側シート体３の面ファスナー１３Ａは、ストレッチャー２上面側に敷設された状態の下面（底面）側の縁側に設けられるとともに、前記周囲側シート体４の面ファスナー１３Ｂは、内面側の上部縁側に設けられている。そのため、フック面ファスナーと、ループ面ファスナーとの接着面が下方側に向けられ、特に、周囲側シート体４の上端側が、外側に向けて鋭角に折り曲げられた状態で接着される（図４（Ｂ）参照）。
【００３７】
これにより、上面側シート体３上に付着した水滴等がストレッチャー２の左右外側に伝ってきた場合であっても、水滴が面ファスナー１３の接着面から周囲側シート体４の内側（ストレッチャーのフレーム）側に侵入することを効率的に防止できる。
【００３８】
さらに、前記上面側シート体３の左右両側と、周囲側シート体４の上縁側とが面ファスナー１３で着脱されるため、ストレッチャー２の側面に設けられる前記取手部８のみを避けて接着させることができる（図５参照）。このとき、シート同士の接着に面ファスナー１３を用いたことにより、ストレッチャー２側の取手部８の位置や幅が異なる場合であっても、容易に取手部８を避けることができるため、汎用性も高い。
【００３９】
上述の構成のシート体によれば、ストレッチャーに付着した水滴が廊下側に滴下することを防止できる。すなわち、入浴後の患者をストレッチャーで搬送する際に、ストレッチャーに付着した水滴が滴下することによって廊下が滑りやすくなり、搬送作業をしている作業者や、廊下を使用する他人が転倒等するといった事故を未然に防ぐことができるものであって、ヒヤリハットの低減等、医療安全に繋がるものである。
【００４０】
また、該シート体によれば、患者に付着した水滴をストレッチャーに着脱可能な上面側シート体３と周面側シート体４とで回収することができるため、ストレッチャーへの水滴の付着や、廊下への水滴の滴下を防止し、ストレッチャーに付着した水滴の拭取り作業や、廊下に滴下した水滴の拭取り作業の手間を減らすことができる。
【００４１】
次に、図７に基づき、前記上面側シート体の別実施例について説明する。図７（Ａ）及び（Ｂ）は、上面側シート体の別実施例を示した平面図及び側面図である。前記上面側シート体３は、裏面側に硬質ウレタンフォーム等からなるマット部材２１が設けられている。  
【００４２】
前記マット部材２１は、シート状部材で覆われるとともに、該シート状部材を上面側シート体３の裏面側にウエルダー処理等によって溶着することによって、上面側シート体３の裏面側に取付けられている。このとき、該シート状部材には、上面側シート体３と同様に撥水性のある素材が用いられている。
【００４３】
該マット部材２１は、ストレッチャー２のベッド部６上に上面側シート体３を敷設した際に、マット部材２１が少なくとも患者の頭部側から腰或いは臀部に至る範囲をカバーできるように構成されているため、患者を保護できる。また、該マット部材２１によりベッド部６への位置決めが容易となるため、上面側シート体３のストレッチャー２側への敷設作業も容易になる。
【００４４】
また、該マット部材２１は、上面側シート体３に沿って延設された第１マット部材２１Ａと、該第１マット部材２１Ａと並べて配置された第２マット部材２１Ｂとから構成されている。該構成によれば、上面側シート体３を第１マット部材２１Ａと第２マット部材２１Ｂとの連結部分を支点に二つ折りにできるため、上面側シート体３をコンパクトに収容することができる。
【００４５】
これにより、前記第１マット部材と、第２マット部材とで硬さを変更することもできるため、患者の容体に応じてマット部材２１の硬さを部分的に調整することにより、床ずれ等を予防することもできる。
【００４６】
次に、図８及び図９に基づき、前記周面側シート体の別実施例について説明する。図８（Ａ）は、別実施例の周囲側シート体の接着状態を示したＡ−Ａ断面図であり、図８（Ｂ）は、別実施例の上面側シート体と周囲側シート体の着脱箇所を示した要部拡大図であり、図９（Ａ）は、上面側シートを示した底面図であり、（Ｂ）は、別実施例の周面側シートを示した側面図である。
【００４７】
図示されるように、前記周囲側シート体４の面ファスナー１３Ｂを、外面側の上部縁側に設けた構成としても良い。該構成によれば、周囲側シート体４の外面上端側に連接側面ファスナー１３Ｃと、面ファスナー１４Ｂとが同一面上に並べて配置される（図９（Ｂ）参照）。
【００４８】
該構成によれば、上面側シート体３側の面ファスナー（フック面）１３Ａと、周囲側シート体４側の面ファスナー（ループ面）１３Ｂとの接着面が下方側に向いた状態で接着されるため、上面側シート体３上に付着した水滴等がストレッチャー２の左右外側に伝ってきた場合であっても、水滴が面ファスナー１３の接着面から周囲側シート体４の内側（ストレッチャーのフレーム）側に侵入することを防止できる（図８参照）。
【符号の説明】
【００４９】
３    上面側シート体
４    周面側シート体
１３Ａ  面ファスナー（係合部）
１３Ｂ  面ファスナー（係合部）
１３Ｃ  連接側面ファスナー（連接部）
２１    マット部材
【図１】
0003211906.tif 000003
【図２】
0003211906.tif 000004
【図３】
0003211906.tif 000005
【図４】
0003211906.tif 000006
【図５】
0003211906.tif 000007
【図６】
0003211906.tif 000008
【図７】
0003211906.tif 000009
【図８】
0003211906.tif 000010
【図９】
0003211906.tif 000011